(57)【要約】      （修正有）【課題】従来のアクセサリーとしての装飾用品はアクセサリーの外形をいかに美しく見せるかが価値の基準であった。近年はストレスによる疲労が社会的にさまざまな疾病や犯罪を生むようになっているが、こうした問題を解決するためのアクセサリー用品を提供する。【解決手段】上側のキャップ１０は香り剤を吸収して香りを蒸散出来る吸着保持部材１３が収納され、他方下側にはマグネット１４が収納された収納室を具備し、いくつかの開口部１２が設けられている。この開口部１２から香り剤が蒸散して香りが漂うように成っており、香りを手軽に交換し利用できる。【選択図】図１
2008062028.tif 000002
【特許請求の範囲】
【請求項１】
宝石や装飾アクセサリー用品又は昆虫や花の蕾、木の枝などの形状に成形した装飾用具に、花や草木或は海から抽出した香り成分又は同じような香りを感じさせる分子構造に合成された香り成分を、あたかも前記装飾用具から香るように構成する装飾品において、花の蕾や種、果実、木の枝、昆虫等の形状物、又は宝石などの支持部材の一部に香り成分の吸着と蒸散ができる液剤保持部材を一体的に配置し、しかも脱着可能に配置し、あたかも前記装飾用具から香るように構成することを特徴とする香りの蒸散機構を有するアクセサリー用品。
【請求項２】
宝石や装飾アクセサリー用品又は昆虫や花の蕾、木の枝などの形状に成形した装飾用具の一部に香水や花の香りオイルを充填し、しかも外部にもれないように開放部を吸着と蒸散ができる液剤保持部材で塞ぎ、前記装飾用具が揺れても液漏れしない構造であることを特徴とする香り剤保持機構を有するアクセサリー用品。
【請求項３】
前記香り成分の吸着と蒸散ができる部材を有する前記装飾用具がマグネットによる吸着機構又は針金や針形状部材を固着する接続機構又はネジ機構、或はネックレス等の契合部に用いられる引っ掛け機構を介して着脱可能に構成されているか、又は単に針で被装着物に刺し込んで固定するか、或は２つの弾力性部材で被装着物を挟み込む機構を有する着脱が容易な取り付け機構であることを特徴とする請求項１乃至２記載のアクセサリー用品。
【請求項４】
前記液剤保持部材が吸水化処理を施した不織布や発泡ポリウレタン又は和紙、綿素材、圧縮加工した木材、多孔質セラミック素材、穴を有する陶器素材であることを特徴とする請求項１乃至３記載のアクセサリー用品。
【請求項５】
前記香り成分を保持する吸水化処理を施した不織布や発泡ポリウレタン又は和紙などの部材をペット材などの樹脂板材を凸形状と凹み形状に成形し凹み部分に前記香り成分の発散機構を有する部材を装填した後、凸部を凹み部分に圧入して機密性を確保するようにして、香り液の蒸散を防いで梱包することを特徴とする香剤保存方法。
【請求項６】
前記装飾用具の左右及び／又は上下又は球状表面など少なくてもどこか１つ以上の部位に前記香り発生剤の蒸散口が配置されているような機構であることを特徴とする請求項１乃至４記載のアクセサリー用品。
【請求項７】
前記香り成分を発散させられる吸着と蒸散ができる保持部材を収納する前記装飾用具の一部がマグネットに吸着可能な鉄含有物を有し、該装飾用具とは別のマグネットで被装着物を挟み込み固定することを特徴とする請求項１乃至５に記載されたアクセサリー用品。
【請求項８】
前記香り成分を含ませられる部材が円筒状に加工された発泡ポリウレタンから成り、円筒面から内部に向かって吸着した香剤が蒸散し易くなるよう１つ以上の穴が掘り下げて開いていることを特徴とする請求項１乃至６に記載されたアクセサリー用品。
【請求項９】
前記香り成分を保持する吸水化処理を施した不織布や発泡ポリウレタン又は和紙などの部材又、綿、セラミック素材などをペット材などの樹脂板材を凸形状と凹み形状に成形し凹み部分に前記香り成分の保持蒸散機能部材を装填した後、凸部を凹み部分に圧入して機密性を確保するようにして、香り液の蒸散を防いで梱包し香りスペアーとして販売できるようにしたことを特徴とする香り装飾補充用品。
【発明の詳細な説明】
【技術分野】
【０００１】  本発明は、従来の機構を有するアクセサリーなどの装飾用品に新たに香り発生機構を付加することにより、今までになかった新たな刺激を有する装飾用品を生み出し、これらの装着時には人に癒し効果が与えられるようにする目的で、花や草木から取った香りや従来市販されているような香水等をアクセサリーなどに一体的に構成し、しかも香の交換を簡便にできる機構で使いやすくした、癒し効果を与えるような装飾用具に関する。
【背景技術】
【０００２】  従来、市販されているアクセサリーの装飾用品においては、今日まで、単に見た目だけの輝きや面白さユニークさなどの工夫に限られていた。しかし、一般的に購入者からは遠くから見て美しいと感じれば、装飾用品としてそれ以上必要としない分野と考えられていた。また、装飾としての香りに関しては花から抽出した香水を肌や衣服にふりかけて用いる方法しか考えられていなかった。【０００３】  現代社会には、様々なストレス解消方法が考えられてきたが万葉集が書かれた時代から花や香の香りが人の心に優しさや癒し、あるいは恋愛感情の思い出を作り出す助けになることが知られてきた、現代社会においては装飾方法としての香りは、異性に対する好感情を作り出す香水や匂い袋とか消臭的に嫌な匂いを打ち消すための香りとして利用する方法しか考えられていなかった。
【発明が解決しようとする課題】
【０００４】  今日までは、香水やお部屋の香り材は色々なものと組み合わせたりして香りの強さや異性をうっとりさせる香り作りが主流であった、しかしストレスの癒し効果には、むしろ、さわやかな香りで柔らかい弱い感じの香りが必要である。
その上、好きなときに好きな香りと交換可能な構成のものでないと現代のニーズに対応して用いられないと云う課題が在る。しかし香水作りは単に香りを組み合わせてうっとりさせるようにしか考えられていない、その上使用方法は身体や衣服に吹き付けるか塗る方法しか考えられていないと云う課題があった。
【０００５】  現在は、花嫁がバージンロードを歩く時に花嫁の手にあるブーケはドレスにあった、しかも花嫁の顔かたちに合ったデザインが求められるように成っている。しかも、昨今ますます個人の好みに合った花の色やデザイン重視のブーケが求められるようになっている。もっと思い出になる結婚式にしたいと云う希望は、絶えず花嫁側にも式を請け負う施設の側にもある、こうした課題を解決したいと云う要望が在った。
またバージンロードを歩く花嫁に花の香りがブーケから当たり一面にただよい、しかも、花嫁の身につけるアクセサリーにも、ブーケから漂っていた花の香りを発散させることができれば、披露宴の間じゅうもバージンロードの香りが漂うようになり、素晴しい結婚式が演出できると云う創造的課題の要望もあった。
【０００６】また高校生がカバンの取っ手の近くに色々な飾りを着けているが、今までは単に可愛らしいだけの飾り方しか飾りつけが出来なかった。ここにもうひとつ花の香りなどが簡単にしかも交換可能に取り付けられるなら、やさしさが自然に育成される飾り付け文化がうまれ、今日の殺伐とした精神環境を安価にして、豊かなものにできると云う課題を解決するために本発明がなされた。
【０００７】  また現代の社会に増加するストレスを解決するには、自然の中で、桜を見に行くとか、海に行って、沢山の人と共に泳ぐとか、温泉に行くとか、転地療養的な方法が、考えられている。しかし、毎日の仕事場や書斎のパソコンの傍や玄関で人生の味わいを楽しめる安らぎの時間を得る手段が見つかっていないと云う忙しい現代、こうした心の問題を解決したいと云う課題が在った、しかも現代社会に適した手間のかからないアクセサリーで生花のような癒し効果を得たいと云う課題を解決するための装飾具がなかった。
この問題を解決するために本発明がなされた。
【課題を解決するための手段】
【０００８】  本発明は、現在市販されているアクセサリーなど装飾用品を改良工夫して嗅覚の世界をアクセサリー分野にとりいれることを可能にする機構、これにより現代社会の課題であるストレスの解消やよりよい結婚式を演出したいと云う創造的課題、又新しい癒しの香り文化を創造したいと云う目的で考えられた。  書斎のパソコンの脇や玄関あるいは企業のロビーなどに枯れない造花や花壇を作るときに、そこを、香り豊かな空間として、香りの畑という新しいイメージを加えて提供できるように、アクセサリー類に香りを加えて、しかも香りを簡単に交換できるようにして、本来、生花が発散する香りによる癒し効果を生み出し、より鮮明に花や草、その上森や海の潮の香り等も感じられる装飾具の提供により解決するものである。
【０００９】  本発明は従来考えられてきたアクセサリーに新たに香り成分を保持する機構を加え、その上に現代人に合った利用し易すい発散機構により、従来のアクセサリーの、見た目を飾るという要素しかないと云う課題を改善する解決手段としてなされた。また現代日本人が外国の人に比べ、あまり香りを身につけないと云う殺伐とした社会ムードの改善に適した方法を提供し、これにより欧米にはなかった弱い香りによるさわやかな癒し文化を創生させたいと考えてなされた発明であり、簡単に交換できて、香を放つ手段を有するアクセサリー具を提供し問題を解決するものである。
【発明を実施するための最良の形態】
【００１０】  以下に図面を参照して本発明の実施例を説明する。
図１は、本発明を通常一番多く利用する磁石内臓アクセサリー１００は外形形状がりんごなどの果物を小さくした形であり、球状のほぼ真ん中辺りで２つに分離できる構造になっている。上側キャップ１０は香り剤を吸収して香りを蒸散しながら吸収した香り剤が無くなるまで保持することの出来る吸着と蒸散ができる液剤保持部材１３が収納されいくつかの開口部１２が設けられている。他方下側には下側キャップ１１の中にマグネット１４が収納された収納室１５を具備しこの開口部１２から香り剤が蒸散して、例えば甘いりんごの香りや花の香りが漂うように成っている。ただし、液剤保持部材１３と開口部１２の位置は上下逆であっても良い。【００１１】  また被装着物１７に固定する場合は鉄材を含有するセット具１６がマグネット１４との吸引力で被装着物１７を挟んで磁石内臓アクセサリー１００を固定できる。またマグネット１４とセット具１６は逆の配置でもかまわない。また冷蔵庫の扉や白板などに紙などを止めておくような使用の場合はこのセット具１６は必要がない。【００１２】  これ等の吸着と蒸散ができる液剤保持部材１３は耐油性を持つ発泡ポリウレタンや他の素材から成るスポンジ素材やポーラスなセラミック素材で構成するのが好ましく、そこに花や草などの香り成分を抽出した液を浸潤させて保持させる保持機構で、この香りが薄くなってきたら外から香り液をスポイドのようなもので注入して補充するか吸着と蒸散ができる液剤保持部材１３を取り出して香り液に浸して液を補充する、又、気化を防ぐ容器に保存された香り液を充填済みの吸着と蒸散ができる液剤保持部材１３に吸着させた多くの種類からなる香カセットを販売し、この中のどれかと交換して使用する事ができるようにしても良い。【００１３】  またこの吸着と蒸散ができる液剤保持部材１３をセラミック素材等で成型する場合には銀粉末を混合して焼いたものが好ましい、銀は殺菌力が在るためカビなどの発生を防ぐ働きがあるため、香り成分の微生物による変化を防ぐ事ができる。また発泡ポリウレタンなどの樹脂素材、又はゴム性のスポンジ素材などに於いては抗菌剤を含浸させるように整形しておくことも同じ効果が期待できるので望ましい。【００１４】  図２は本発明の別の実施例タイピン式アクセサリー１０１を説明する。磁石内臓アクセサリー１００のマグネット１４による固着機構がネクタイピンのように針軸２０がクランプ台２１の穴２１−１に差し込まれて固定される方式に変わっている以外は同じ機構である。このような場合のクランプ台２１の針軸２０を簡単に固定できて簡単に抜けないようにする方法はクランプ台２１が弾性体であるゴム製か弾力性のある樹脂性のもので針軸２０より少し小さい穴に製作すると安価に出来るので好ましい、ただし高級なネクタイピンの様に内部につめ機構を内蔵したものは高価な宝石などの配置されたアクセサリー用品には最も適した構造である。【００１５】  図３においては球形吸収保持型アクセサリー１０２を示す。磁石内臓アクセサリー１００に使用される吸着と蒸散ができる液剤保持部材１３の代わりに多孔質素材からなる球形のセラミックボールの吸着と蒸散ができる液剤保持部材２２が入るように成っている。香りは下部にある開口部１２��小さな穴の部分から外部に蒸散して香りを回りに漂わせるように成っている。尚、吸着と蒸散ができる液剤保持部材２２は多孔質の焼結セラミック素材で成形し親水性が生じるようにしたものが望ましい。このようにしたものは花や草などの液状の香り剤が含浸しやく、使用する場合の使いやすさや、使い捨ても可能にするため好ましい。【００１６】  またアクセサリーの外形形状を果物や花の蕾などにした場合その表面の色はさまざまな色で楽しく飾るのが好ましい。たとえば果実や花の蕾は白、赤とかピンク、黄色や葉はグリーンとか黄色や紅葉の色などが飾りとして好まれる。また吸着と蒸散ができる液剤保持部材２２には、除菌や防菌効果を得るために銀粉末などを焼結時に混合した多孔質セラミックか素焼などが好ましく、また木材などを球形に加工し木の香り剤を含浸させてより強く木の香りを漂わせるようにしても良い、例えば檜の香り等は特に好ましい。【００１７】  また図４においてはピン式宝石香りアクセサリー１０３を示す。被装着物１７を貫いて刺し通された針軸２０がリング状の吸着と蒸散ができる液剤保持部材２４を香り成分の蒸散のために穴２６が開いている収納した受け台２５に配置されている。この受け台２５が被装着物１７に固定されるように針軸２０に押さえ板２３が押し込まれ固定されるようになっている、また宝石爪２９の支える飾り台２８があり、この飾り台２８は形状を変えて吸着と蒸散ができる液剤保持部材２４が内蔵できるようにしても良い。このように香り剤が含侵された吸着と蒸散ができる液剤保持部材２４が押さえ板２３を外すと簡単に着脱可能に装着できるように成っている。【００１８】  また図５においてはピン式宝石香りアクセサリー１０４を示す。この実施例は吸着と蒸散ができる液剤保持部材３１が宝石側にあり、飾り台２８の中に内蔵されている場合の実施例である。吸着と蒸散ができる液剤保持部材３１は針軸２０を介して飾り台受２８−１で軽く固定されている。【００１９】  本発明に開示される実施例おけるさまざまな形状の吸着と蒸散ができる液剤保持部材は無数の小さな穴があいていて、香り発生剤が含浸され長い間香りが持続できるものが好ましく、これは陶器や素焼きなどの色のきれいな物に小さな穴を沢山開けたもので良く、また特に微細な穴を作る場合においては墨の粉を混ぜて素焼きとして焼成する方法が知られている。また一般的に素焼きなどにすると親水性が備わり利用し易いものとなる。【００２０】  その他にも綺麗な色の樹脂材や陶器で組立式容器の形で、少なくても２つ以上のパーツから構成し、その中に他の耐油性のある材質からなる物を型で成型した吸着と蒸散ができる液剤保持部材を組み込む形式のもとか、耐油性の発泡樹脂材料例えば発泡ポリウレタン等で成形するのが好ましい。
これを使い捨ての商品として販売するのも良い。
前記液剤保持部材を極めて小さなステンレスや貴金属の極めて細い線材を金属タワシ状にし、液の持つ表面張力を利用して香り剤が含侵できる状態にした物を吸着と蒸散ができる液剤保持部材として用いるのも良い。こうしておけば好きな時に好きな花の香りや市販の香水を含侵したものと簡単に交換ができるからである。【００２１】  また図６においてはゴム止め香りアクセサリー１０５を示す。この実施例においては吸着と蒸散ができる液剤保持部材３４が樹脂製の筒状ケース３６に収納され、この筒状ケース３６には開口部３６−１が在る、図においては被装着物１７の宝石側に開いているが反対側にしても良い。吸着と蒸散ができる液剤保持部材押え３５に吸着と蒸散ができる液剤保持部材３４がはめ込まれて、これを螺子部３８でパッキン３７介して液密に筒状ケース３６に簡単に取り外し可能にセットされている。また、宝石やガラス細工などの宝石のイミティションが筒状ケース３６に配置され、この筒状ケース３６が２つのＯリング等により被装着物１７にあるボタン穴などを介して両側から抜けないように押さえられている【００２２】  図７は鎖用香りアクセサリー４１を耳にイヤリングを利用して装着した状態を示す。図１から図６までの物もイヤリングとして使用できるようになっているがこれはイヤリングや手首などに飾りとして着けるバンド類やそれだけではなく鎖を利用するアクセサリーのすべてに香り入りのアクセサリーとして宝石と一緒に用いることが出来る。これはネックレスに掛け金を配置すれば取り付くようにケースフック４２が鎖用香りアクセサリー４１に配置してある。液剤保持部材４５は成形された発泡ポリウレタンやポーラスな穴が開いた素焼などの素材で構成すると良い。【００２３】  図８において鎖用香りアクセサリー４１の拡大図を示す。外形は花の蕾の形状とか果物や貝真珠のようなものとか、さまざまな貝の形で形作るとか、球形にこだわることなく自然界にあるさまざまな昆虫や魚や花などの外形形状を真似て、かわいらしく作ることができる。この鎖用香りアクセサリー４１はほぼ中央から２つに分かれるようになっていて上側ケース４３の開口部４４がある側にかすかな凸部４８が下ケース４７の凹みに勘合して固定されるようになっている。【００２４】  鎖用香りアクセサリー４１の中には球形の発泡ポリウレタンで型成形された吸着と蒸散ができる液剤保持部材４５が内造されている。開口部４４の部分から花の香り剤を外部から注入して補給するようにしても良く、また発泡成形素材を使用しないで多孔質のセラミックボールを使用しても良いまた、また吸着と蒸散ができる液剤保持部材４５は発泡ポリウレタンで型成形されたものに限らずゴム製スポンジ素材の様な材質で形成することができる、外側はデザインを重視して、色々な細工がなされた貴金属から成るものが特に好ましい。【００２５】  またこの鎖用香りアクセサリー４１は少なくても１箇所に指の爪で２つに分けられる凹み部４９がある。これにより上側ケース４３と下ケース４７が簡単に分離して中の吸着と蒸散ができる液剤保持部材４５を着脱可能に装着できるように成っている。また鎖に掛けるフックのようなものがあり、他のアクセサリーにも取り付くように成っている。【��０２６】    次に図９は現在市販されているネックレスや鎖に繋いで香水を持ち歩くためのアクセサリー香水容器１０７である。アクセサリー香水容器１０７はチェクバルブ機構にボール５５を使用しバネ５６でボール５５が下側容器５３の先端部５３−１に押し付けられた状態で内部の液が漏れないように構成されている。液上方の上側キャップ５１に鎖などとつなげるための鎖５３−２とこれに連結するリング５３−３があり、下側容器５３はネジ５７−１を介して液キャップ５７とでパッキン５２を締め付ける形で内部の香液５４が漏れないように液密に構成されている。【００２７】  図１０はアクセサリー香水容器１０７の使用時の形態を示す。内部の香液５４がチェク機構のボール５５を肌５８に押し付けて矢印５９の方向に動かすと、下側容器５３の先端部５３−１とボール５５が離れ回転しながら内部に溜っている香液５４が外に漏れだして肌５８に塗ることが出来るように成っている。【００２８】  これを実際に使用してみると上側キャンプ５１を外して持っていないといけなかったり、香液５４の出が悪かったり、使いにくいものであった。また、香液５４を入れるときにこぼれてしまい、入れにくい等、気安くに利用できるものではなかった。こうしたものが市販されているが、香りをアクセサリーとして広く社会に普及させるためには、形状の魅力とか使い易さにおいてともに一般の方から好まれるとは思われなかった。
本発明はこれらの問題を解決するために香剤を溜めておくために吸着と蒸散ができる液剤保持部材を成型部品とすることなど香り剤の交換がし易いように工夫されている。また香り剤の液でも手軽に充填補給ができる形式も提案している。例えば図８の球形の吸着と蒸散ができる液剤保持部材４５の代わりに下ケース４７の中に香液５４を入れて図１１に示すように不織布や成形ポリウレタン等の漏れ止カバー６０を使用して香液５４をそのまま使用するようにしても良い。【００２９】  また、図１１は８図と同じ様な機構であるが香り液を含浸させた多孔質セラミック球の代わりに香液５４をそのまま使用する考えの実施例で鎖用香りアクセサリー１０８を示す。香液５４が漏れないように不織布や成形ポリウレタン等で作られた漏れ止カバー６０で開口部４４から香液５４がこぼれないように成っている。たいていの香剤や香水は油性化されているため厳重な液密化は必要がない。
又アルコール等の溶剤で揮発し易いようにした場合も入れる量を少なくすれば良い。また、発泡ポリウレタンで成形する場合は図のものより厚手の形態が望ましい。【００３０】  図１２においては７星てんとう虫型の香り用装飾具の全体形状１０９を示す。以下７星てんとう虫と述べる。実際の大きさは全長１３ｍｍ程度の可愛らしい姿に成っている。図１２から図１８までは実際に商品として販売される形状を開示している。これは本発明が主張する権利範囲の正しい理解を生むことが目的です。
図１２は７星てんとう虫の形状に似せて作られたもので甲羅７０に黒い楕円形の模様９０が塗装されていてその中の９０−１の部分だけに貫通穴７３が開いている。ここから内部に充填された香りオイルが外部に蒸散するように成っている。【００３１】  図１３は図１２のＡ−Ａ矢視断面詳細図１１０である。甲羅７０には貫通穴７３が外部と香剤の充填室７５とをつないでいる。ピン７２に液剤保持部材（図示せず）として発泡ポリウレタの板材の中心部にピン７２の径よりも小さく開けた貫通穴を有する外形を甲羅７０に収まるように円形に打ち抜いたものを挿入して使用する。
また、充填室７５の底部７４には香りオイルが溜まるように成っている。この時、香りオイルがこぼれないように前記発泡ポリウレタンの外形を充填室７５の内径よりやや大きく製作しておくのが望ましい。【００３２】  また、先端にある蝶つがい７０は樹脂成形において虫ボデイ７１と甲羅７０を一体として成形し、製品になってから折り曲げ部７８で曲げて甲羅７０部が虫ボデイ７１にかぶさるように成っている。【００３３】  この時、図１４に示す係りツメ７６がツメウケ７７に係り再び元の状態にならないように成っている。すなわち図１３のように形状が維持される。
この時、７星てんとう虫が造花の心金である針金や冷蔵庫その他の鉄製分含有物のものに着装して離れないようになるためマグネット８０が内側から押し込まれて虫ボデイ７１の下面に位置するようにしてある。この位置で止まるようにマグネット挿入用の穴の下部にＲ形状の肉が残るように成形されている。【００３４】  図１４は図１３中央断面図１２０を示す。充填室７５の上部は球形に成っているため小さな棒状に打ち抜かれた発泡ポリウレタンは上部から圧縮された香りオイルが貫通穴７３からも漏れださないように成っている。【００３５】  図１５はマグネット付蕾形状装飾具１１２の断面図を示す。これは全長１６ｍｍ程度の大きさの可愛らしい花の蕾の形状をしたものである。また、このマグネット付蕾形状装飾具１１２は３つの部分から構成されている。１つは蕾の蕚８１部分であり他は蕾部８２と角度調整具８３から成る。この３つを接着により組み合わせた状態でマグネット８０の収納部８０−１が形成されるように構成されている。【００３６】  図１６は図１５の蕾の蕚８１の側面外形形状を示す。中心部のピン７２は７星てんとう虫に使用する発泡ポリウレタンと同じ形状の液剤保持部材をしようするがこの長手方向は大きめのものが使用できるように成っている。角度調整具８３は矢印Ｃの方向から蕾の蕚８１に差し込んで組み合わせる構造に成っている。【００３７】  図１７は図１２のＢ−Ｂ矢視の方向から見た蕾部８２の形状を示す。先端部に開口した香りオイルの蒸散口７３があり中央部には液剤保持部材を位置決めするピン７２が蕾の蕚８１の液剤保持部材収納部分の底面から立ち上げてある。このピン７２に液剤保持部材の中心に開いた穴を入れて蕾部８２で香りオイルを充填後蕾部８２で蓋をするようにして香り液が漏れないようになる。
この時の蕾の蕚８１と蕾部８２のセット用の係り爪８５が蕾の蕚８１の受け詰め８５−１に内側から引っかかってはずれないようになる。
蕾の蕚８１にある抜き空間８４は型制作上の逃部分である。このセット用の係り爪８５と受け詰め８５−１などが図１７の蕾部８２の上下位置に１つずつ配置されている。【００３８】  図１８は液剤保持部材１１３の形状を示す。吸着部９０の中央部にはピン７２が挿入できるようにピン穴９１が開いている、材質は商品単価などから見て発泡ポリウレタンで製作するのが好ましい。【００３９】  図１９は液剤保持部材１１３の形状を示す。吸着部９０の中央部の穴はピン７２の挿入用にピン穴９１が開いている、また、他に少なくても１つ以上の香剤蒸散のための空洞９１−Ａが煙突のように、円筒形状部材の表面から底面に貫通して開いている、この液剤保持部材１１３の材質は発泡ポリウレタンで製作するのが好ましい。又、前記円筒形状部材の表面から底面に貫通して開いている香剤蒸散のための空洞は底が残った状態で十分に機能するため底面に貫通することが必須の条件ではない。また空洞９１−Ａは必須でない無くても十分機能する。【００４０】  図２０は花形状液剤保持器１１４の形状を示す。花型ケース９２の底には香液９３が充填されている。この収容部９２−Ａに発泡ポリウレタンの型抜きにより成形された液剤保持部材１１３が配置され、下部には先端が細くなった針金挿入口９４が開いていて、この穴に針金９５を差し込むと細くなった部分に針金の先端が食い込んで抜けにくくなるように構成され、こうして固定された針金を造花や木の枝などに巻きつけて装着するようにしてある。【００４１】  また、このように針金による自由度を持たせた装着方法は造花に限らず生花の茎にも装着できるためその利用範囲は大きく広がるものである。また、こうした形状では上面を覆うカバーが無いため、セレモニー会場や展示会などのように空気の流れが多い場所でも強い香りを発散させることができるため、短期間に香りを蒸散させる方法には適している。【００５６】図２１は液剤保持部材２１４の一つの形態で６ｍｍ程度の円形面１１０の外周と中心部の穴１１１とを打ち抜き加工したポリエステル系の不織布を特殊樹脂で成形加工して吸水性を付加したものである。【００５７】  図２２は図１３で示す７星てんとう虫の形状に似せて作られたものと外形形状は同じであるが内部のピン７２に液剤保持部材２１４の穴２１１が勘合してほぼ中心位置に液剤保持部材２１４が収まるようにした物である。外部へ香りを蒸散させるため多数の貫通穴８３が開いている。蒸散空間として充填室８５と底部８４により香り粒子が常に蒸散する空間ができるため蒸散し易く成っている。【００５８】  図２３は図２８と同じような用途に使用されるものであるが、蒸散空間を作るために中心部にピン２１２−Ｃを立てて液剤保持部材２１４が装着できるように成っている。又、花形状液剤保持器２１３の開口部には調整板２１２が菊のお花の中心部の黄色い部分のように上面を成形したものが、内部と外部が貫通するように蒸散口２１２−Ｂを数個設けて、帽子のように着脱可能に装着してあり、花形状液剤保持器２１７の開口部を塞いでいる。【００５９】図２３はペント樹脂板材から成形した香材梱包シート２１７の上方から見た図である又、図３２はこの香材梱包シート２１７の側面から見た図である。折り曲げようの破線切カキ２２１で図３４の矢印の方向に折り曲げると図３６のようになり、くぼみ２２４に入れた液剤保持部材２１４の香り液が蒸散しないように蓋部２２２が容器部入口２２３に圧入され香りの蒸散を防ぐように成っている。【００６０】  又、この香材梱包シート２１７にはピンセット２３０として使用するように、一部が切り取れるように成っている切り取り線２２９はその一部に支え部１２８が図２６に示すように４箇所あり、切り取るまでは香材梱包シート２１７と一体になっている。図２７はピンセット２３０を切り離し折り曲げてピンセット形状に形作ったものである。このピンセット２３０の先端２２６の部分で液剤保持部材２１４を挟んで花形状液剤保持器２１６や７星てんとう虫の形状２０９、２１５のピン７２に嵌め込んでセットする。この時香材梱包シート２１７から液剤保持部材２１４を取り出し易いように傾斜１２５が収納部１２４の片側に形成されている。【００６１】  ピンセット２３０には強度を増すためのリブ２３０が両側に付いている。香材梱包シート２１７に液剤保持部材２１４を収納した後、ホチキス２３１で２箇所固定する。図２６は香材梱包シート２１７が完成した状態を裏側から見た図である。この状態に仕上がった製品を香り分子が通過しない樹脂シートでできた袋に入れ、出入り口を熱溶着して完全密閉して、香りスペアーとして低価格で販売できる物である。天然の香りはポリエチレン樹脂容器で密閉しても外部に香りが逃げてしまい、ＡＢＳ樹脂では溶け出してしまい、とても厄介な油であります。そのため２重の梱包が必要となり通常のやりかたでは商品化ができないものである。【００６２】  図２６の勘合部が２２３（２２２）で示した部分で押し込むほど強い勘合になって気化した香り分子が外部に逃げないように密閉している。
【発明の効果】
【００４２】  本発明を実施することにより花や草木の香り又は、磯の香などを装飾用品として飾る習慣が日々の生活に取り入れられ、新しいトレンドとして育つ事を願って生まれた。現代日本社会においては、装飾用品としては単に宝石などを高価なものとして豪華に飾ることが主体である。しかし心に残るものは目からの情報だけとは限らない、むしろ嗅覚からの情報は胸の奥にまで空気を吸い込みながら感じるため深く印象付くものである。こうした嗅覚を刺激する文化はストレスの社会においては必要なものと考えている。古くから匂い袋として香りが用いられてきたが現代の社会にはそぐわないため、香り文化が社会から消えてしまっている。本発明はこうした香り文化を新しい形として作り変えて、香りによる癒し文化を育むことが目的である。
【００４３】  香を手軽に利用できるアクセサリー用品が多く開発されるなら、新しい癒し文化生み、現代のストレス社会に潤いを与えるであろう。
又パソコンが仕事の中心的存在となっている今日、これはまた、私達にストレスを生み出す所でもある。しかし造花では、生花のような安らぎが得られない。そこで広く生花などによる香り文化を定着させるには、生花を毎日飾るには大変高額となり、経済的に無理があるためこれの解決する手段として、アクセサリーに香りを与えることでアロマを伴う新しい花香り文化を育てる効果がある。
【００４４】  こうしたストレスの原因を取り払うために、特にパソコンの傍や机の隅に装飾用品として香りを飾りたいとの要望が在る。
しかし、切り花のコストが高く長持しない、必然的にパソコンの傍は潤いのない場所になっている。これを改善するには、日常には感じていない新しい刺激が必要である。しかし人々が装飾用品としての香りを考えてはいなかった結果、香りは匂い消しのために強い香りを撒き散らすように成っていた。
【００４５】  このためあえてパソコンの傍で漂わせたいと思うような気持ちになれない。これには、新しい発想として生花では無理なら、アクセサリーから生花の香りを発散させたらこの問題が解決すると考えたのである。アクセサリーに装飾用品としての香りを付加して、柔らかい花の香りをパソコンの回りに漂わせることができる。また室内でも新しい感覚の飾り付けが可能になる。
また造花に生花の香りを漂わせられれば、新しいフラワーアレンジメントの世界が誕生するであろうし、造花産業技術が発展し造花市場の経済的な効果も生まれる。
【図面の簡単な説明】
【００４６】
【図１】磁石内臓アクセサリー１００の香り発生機構が利用できる状態の断面図を示す。
【図２】タイピン式アクセサリー１０１の香り発生機構が利用できる状態の断面図を示す。
【図３】球形吸収保持アクセサリー１０２の香り発生機構が利用できる状態の断面図を示す。
【図４】ピン式宝石香りアクセサリー１０３の香り発生機構が利用できる状態の断面図を示す。
【図５】ピン式宝石香リアクセサリー１０４の香り発生機構が利用できる状態の断面図を示す。
【図６】ゴム止め香りアクセサリー１０５の利用できる状態の断面形状を示す。
【図７】鎖用香りアクセサリー４１の使用状態を示す。
【図８】鎖用香りアクセサリー４１の利用できる状態の断面形状を示す。
【図９】アクセサリー香水容器１０７の断面形状を示す。
【図１０】鎖用香りアクセサリー４１の断面形状を拡大した図を示す。
【図１１】鎖用香りアクセサリー１０８の断面形状を示す。
【図１２】７星てんとう虫型の香り用装飾具の全体形状１０９を示す。
【図１３】７星てんとう虫形状のアクセサリー用品図１２のＡ−Ａ矢視断面詳細図１１０を示す。
【図１４】７星てんとう虫形状のアクセサリー用品図１３中央断面図１２０を示す
【図１５】マグネット付蕾形状装飾具１１２の断面図を示す。
【図１６】マグネット付蕾形状装飾具１１２の蕾の蕚８１の側面外形形状を示す。
【図１７】マグネット付蕾形状装飾具１１２のＢ−Ｂ矢視の方向から見た蕾部８２の形状を示す。
【図１８】液剤保持部材１１３の形状を示す。
【図１９】液剤保持器１１４に液剤保持部材１１３が装着された断面形状を示す。
【図２０】液剤保持器１１４に液剤保持部材１１３が装着された断面形状を示す。
【図２１】液剤保持部材２１５の形状を示す。
【図２２】７星てんとう虫形状のアクセサリー用品の断面形状を示す。
【図２３】花形状液剤保持器２１７に液剤保持部材２１５が装着された断面形状を示す。
【図２４】香材梱包シート２１７の上から見た形状を示す。
【図２５】香材梱包シート２１７の横から見た形状を示す。
【図２６】香材梱包シート２１７を組み立てる方法を示す。
【図２７】ピンセット２１８の形状を示す。
【図２８】香材梱包シート２１７に液剤保持部材２１５が装着された完成形状を示す。
【符号の説明】
【００４７】磁石内臓アクセサリー１００、上側キャップ１０、下側キャップ１１、吸着と蒸散ができる液剤保持部材１３、２２、２４、３１、３４、４５、マグネット１４、収納室１５、開口部１２、４４、被装着物１７、セット具１６、セット具１６、タイピン式アクセサリー１０１、針軸２０、クランプ台２１、穴２１−１、針軸２０、球形吸収保持型アクセサリー１０２、ピン式宝石香りアクセサリー１０３、被装着物１７、吸着と蒸散ができる液剤保持部材２４、穴２６、受け台２５、押さえ板２３、宝石爪２９、飾り台２８、ピン式宝石香りアクセサリー１０４、飾り台受２９−１、ゴム止め香りアクセサリー１０５、筒状ケース３６、開口部３６−１、４４、吸着と蒸散ができる液剤保持部材押え３５、螺子部３８、パッキン３７、鎖用香りアクセサリー４１、スポンジ素材４４、アクセサリー香水容器１０７、ボール５５、バネ５６下側容器５３、先端部５３−１、上側キャップ５１、鎖５３−２、リング５３−３、下側容器５３、ネジ５７−１、パッキン５２、香液５４、液キャップ５７、アクセサリー香水容器１０７、香液５４、肌５８、矢印５９、下ケース４７、漏れ止カバー６０、鎖用香りアクセサリー１０８、７星てんとう虫の全体形状１０９、甲羅７０、楕円形の模様９０、９０−１、貫通穴７３、７星てんとう虫型の香り用装飾具の全体形状１０９、図１２のＡ−Ａ矢視断面詳細図１１０、甲羅７０、貫通穴７３、充填室７５、ピン７２、底部７４、蝶つがい７０、虫ボデイ７１、折り曲げ部７８、係りツメ７６、ツメウケ７７、マグネット８０、中央断面図１２０、マグネット付蕾形状装飾具１１２、マグネット付蕾形状装飾具１１２、蕾の蕚８１、蕾部８２、角度調整具８３、収納部８０−１、蕾の蕚８１、角度調整具８、蕾部８２、蒸散口７３、係り爪８５、受け詰め８５−１、抜き空間８４、液剤保持部材１１２、液剤保持部材１１３、吸着部９０、ピン穴９１、液剤保持部材１１３、吸着部９０、空洞９１−Ａ、花形状液剤保持器１１４、花型ケース９２、香液９３、容部９２−Ａ、液剤保持部材１１３、針金挿入口９４、針金９５、
【図１】
2008062028.tif 000003
【図２】
2008062028.tif 000004
【図３】
2008062028.tif 000005
【図４】
2008062028.tif 000006
【図５】
2008062028.tif 000007
【図６】
2008062028.tif 000008
【図７】
2008062028.tif 000009
【図８】
2008062028.tif 000010
【図９】
2008062028.tif 000011
【図１０】
2008062028.tif 000012
【図１１】
2008062028.tif 000013
【図１２】
2008062028.tif 000014
【図１３】
2008062028.tif 000015
【図１４】
2008062028.tif 000016
【図１５】
2008062028.tif 000017
【図１６】
2008062028.tif 000018
【図１７】
2008062028.tif 000019
【図１８】
2008062028.tif 000020
【図１９】
2008062028.tif 000021
【図２０】
2008062028.tif 000022
【図２１】
2008062028.tif 000023
【図２２】
2008062028.tif 000024
【図２３】
2008062028.tif 000025
【図２４】
2008062028.tif 000026
【図２５】
2008062028.tif 000027
【図２６】
2008062028.tif 000028
【図２７】
2008062028.tif 000029
【図２８】
2008062028.tif 000030